(57)【要約】      （修正有）【課題】触子の形状を改善して接触性能および安定性を向上させ、且つ電気的抵抗を減少させた電気コネクタ用接触子の提供。【解決手段】電気コネクタに備えられる接触子１０において、前記接触子１０は、他の電気コネクタの加圧接触子と接触するように延設される平たい板材形状の接触部１２および前記接触部１２の反対側に設けられ、外部から引き込まれた電線が連結されて接触する連結部１４からなり、接触部１２の片側の、他の電気コネクタの加圧接触部と接触する面には接触溝１３が設けられる。【選択図】図５
2007053066.tif 000002
【特許請求の範囲】
【請求項１】
電気コネクタに備えられる接触子において、
前記接触子は、
他の電気コネクタの接触子と接触するように延設される接触部と、
前記接触部の反対側に設けられ、外部から引き込まれた電線が連結されて接触する連結部を含んでなることを特徴とする、電気コネクタ用接触子。
【請求項２】
前記接触部は、平たい板材形状であることを特徴とする、請求項１に記載の電気コネクタ用接触子。
【請求項３】
前記接触部の片側には、前記他の電気コネクタの接触子が接触する部分に接触溝が設けられることを特徴とする、請求項２に記載の電気コネクタ用接触子。
【請求項４】
前記接触溝の両側面は、前記接触溝の中央に向かって斜め下に傾く面を含んでなることを特徴とする、請求項３に記載の電気コネクタ用接触子。
【請求項５】
前記接触溝は、断面がＶ字形であることを特徴とする、請求項４に記載の電気コネクタ用接触子。
【請求項６】
前記接触溝は、中央側が下方に一定の深さを持つように設けられることを特徴とする、請求項３に記載の電気コネクタ用接触子。
【発明の詳細な説明】
【技術分野】
【０００１】
本発明は、ＬＣＤモニタやノートブックコンピュータ、携帯電話などに使用される電気コネクタに係り、より詳しくは、電気コネクタの内部に挿入される接触子の形状を改善して、接触性能と安定性を向上させた電気コネクタ用接触子に関する。
【背景技術】
【０００２】
一般に、電気コネクタは、ある一方から他方へ電磁気的信号を伝達するために使用されるが、プラグコネクタがソケットコネクタの内側に挿入されることにより、ソケットコネクタ内の加圧接触子とプラグコネクタ内の接触子とが互いに接触する。
【０００３】
このような加圧接触子と接触子との接触を図１〜図４に基づいて説明すると、次のとおりである。
【０００４】
図１は通常の電気コネクタを示す斜視図であって、プラグコネクタ１００がソケットコネクタ２００に結合する状態を示す。図１を参照すると、プラグコネクタ１００の内部には電線１２０に連結された接触子１１０（図２）が備えられている。これらの接触子１１０は、互いに並んでいる。ソケットコネクタ２００の内部には加圧接触子２１０（図３）が備えられている。これらの加圧接触子２１０は、いずれか一方、すなわち接触子側の方向に偏って折り曲げられた形で並んでいる。プラグコネクタ１００は、前端部に位置した挿入部１３０がソケットコネクタ２００の内側に挿入されることにより、挿入部１３０に位置した接触子１１０がソケットコネクタ２００内の加圧接触子２１０と接触することになる。加圧接触子２１０は、接触子１１０側の方向に折り曲げられて形成されるので、接触子１１０の方向に力を加える。
【０００５】
図２は従来の電気コネクタ用接触子を示す斜視図である。図２を参照すると、接触子１１０は、プラグコネクタ１００の内部に位置し、前端部には、加圧接触子２１０との接触のための接触部１１２が平たい板材状に延設され、後端部には、上方が開放され且つ両側から一定の高さまで取り囲む翼状の連結部１１４の断面がほぼＵ字状になるように設けられている。
【０００６】
連結部１１４は、電線１２０の端部が連結される部分である。電線１２０の端部の金属線部分は、連結部１１４の内側に定着され、その外側部は連結部１１４の外側翼部分を窄めることにより支持、固定される。下側に設けられた係止突起１１６は、プラグコネクタ１００に設けられた係止片１４０に係止され、接触子１１０の離脱を防止する。
【０００７】
図３は従来の接触子を使用する電気コネクタが結合した状態を示す断面図である。図３を参照すると、プラグコネクタ１００は、ソケットコネクタ２００に挿入されることにより、接触子１１０の接触部１１２がソケットコネクタ２００の加圧接触子２１０の加圧接触部２１２と接触する。この際、接触部１１２は平たい板状であり、加圧接触部２１２は薄くて断面が長方形の形状を有するので、理論上、接触部１１２と加圧接触部２１２とは線接触または面接触することになる。ところが、大きさ１〜２ｍｍ内外の微細な構造および形状の接触子１１０の場合、製造時の精度不良、組立・結合時のねじれまたは加圧力によって密接な接触がなされないことがある。このとき、接触子１１０は、線接触または面接触するのではなく、一つの接点で点接触する。すなわち、図４に示すように、接触部１１２に対して、加圧接触部２１２が一地点Ａで接触し、他の地点Ｂでは接触せずに離れている場合が発生する。結局、接触部１１２と加圧接触部２１２が一地点のみで接触するので、安定な接触を実現することが難しく、電気的抵抗が非常に高くなるという問題がある。
【発明の開示】
【発明が解決しようとする課題】
【０００８】
そこで、本発明はこのような問題点に鑑みてなされたもので、その目的とするところは、接触子の形状を改善し、接触性能および安定性を向上させ、且つ電気的抵抗を減少させた電気コネクタ用接触子を提供することにある。
【課題を解決するための手段】
【０００９】
上記課題を解決するために、本発明のある観点によれば、電気コネクタに備えられる接触子において、前記接触子は、他の電気コネクタの接触子と接触するように延設される接触部、および前記接触部の反対側に設けられ、外部から引き込まれた電線が連結されて接触する連結部を含んでなることを特徴とする。
【００１０】
また、前記接触部は、平たい板材形状であることを特徴とする。
【００１１】
前記接触部の片側には、前記他の電気コネクタの接触子が接触する部分に接触溝が設けられることを特徴とする。
【００１２】
前記接触溝の両側面は、前記接触溝の中央に向かって斜め下に傾く面を含むことを特徴とする。
【００１３】
前記接触溝は、断面がＶ字形であることを特徴とする。
【００１４】
前記接触溝は、中央側が下方に一定の深さを持つように設けられることを特徴とする。
【発明の効果】
【００１５】
本発明は、接触子に設けられている接触溝に加圧接触部が定着されるようにし、安定した接触の実現を可能にするという効果を奏する。
【００１６】
また、本発明は、接触子が二重接点方式により多数の地点で接触するので、接触面積が増加し、電気的抵抗が減少するという効果を奏する。
【００１７】
また、本発明は、接触溝を介して接触子が係合されることにより、結合が自ら解除されることを防止するという効果を奏する。
【発明を実施するための最良の形態】
【００１８】
以下に添付図面を参照しながら、本発明の好適な実施例によって本発明の構成をより詳細に説明する。
【００１９】
図５は本発明の電気コネクタ用接触子を示す斜視図、図６は本発明の電気コネクタ用接触子の断面を示す図である。図５を参照すると、本発明の接触子１０は、プラグコネクタ１００の内部に位置し、前端部には、加圧接触子２１０との接触のための接触部１２が平たい板材形状に延設され、後端部には、上方が開放され且つ両側から一定の高さまで取り囲む翼状の連結部１４の断面がほぼＵ字状に成るように設けられることは、従来の接触子と同様である。
【００２０】
接触部１２の片側、すなわち加圧接触子２１０の加圧接触部２１２と接触する面には接触溝１３が設けられる。接触溝１３は、図６に示すように断面がＶ字状に対称となるように、２つの斜め面を含むことが好ましい。場合によっては、半円形または円弧形の対称的な断面形状を持ってもよい。すなわち、接触溝１３の中央を中心として両側に傾斜面が形成される。傾斜面の角度は、加圧接触部２１２とより密接に接触するように、加圧接触部２１２の形状、大きさ、位置および間隔に応じて調節する。すなわち、傾斜面の勾配をあまり小さくすると、加圧接触部２１２が２つ以上の地点で接触することが難しく、傾斜面の勾配をあまり大きくすると、加圧接触部２１２が接触溝１３内によく挿入されないこともあるので、加圧接触部２１２の大きさおよび形状に応じて勾配および大きさを適切に調節する。
【００２１】
図７は本発明の接触子を使用する電気コネクタが結合した状態を示す断面図である。図７を参照すると、プラグコネクタ１００は、ソケットコネクタ２００に挿入されることにより、接触子１０の接触部１２がソケットコネクタ２００の加圧接触子２１０の加圧接触部２１２と接触する。具体的には、加圧接触子２１０の加圧接触部２１２が、接触部１２に設けられている接触溝１３と接触する。このとき、図８に示すように、加圧接触部２１２は、加圧接触子２１０が傾いたり捩れたりしても、２つの地点（Ｃ、Ｄ）で接触溝１３と接触する。また、加圧接触部２１２を接触溝１３が両側から取り囲んで支持するので、加圧接触部２１２の位置をより安定的なものにする。
【００２２】
したがって、本発明の接触溝１３を有する接触子１０の場合、加圧接触子２１０と二重接点方式によって安定な接触の実現が可能となり、より多くの接点が設けられるので、接触面積の増加によって電気的抵抗が減少する特性を持つ。また、接触溝１３の方向に加圧接触部２１２が押し込まれて係合される形となるので、凹んだ形状の接触溝１３から加圧接触部２１２が離脱するためには一定以上の力が必要とされる。これにより、プラグコネクタとソケットコネクタの結合性が増大し、自ら離脱あるいは挿抜する現象を減少させる特性を持つことになる。
【図面の簡単な説明】
【００２３】
【図１】一般的な電気コネクタを示す斜視図。
【図２】従来の電気コネクタ用接触子を示す斜視図。
【図３】従来の接触子を使用する電気コネクタが結合した状態を示す断面図。
【図４】従来の接触子の接触状態を示す図。
【図５】本発明の電気コネクタ用接触子を示す斜視図。
【図６】本発明の電気コネクタ用接触子の断面を示す図。
【図７】本発明の接触子を使用する電気コネクタが結合した状態を示す断面図。
【図８】本発明の接触子の接触状態を示す図。
【符号の説明】
【００２４】
１０    接触子
１２    接触部
１３    接触溝
１４    連結部
１６    係止突起
１００    プラグコネクタ
１１０    接触子
１１２    接触部
１１４    連結部
１２０    電線
１３０    挿入部
１４０    係止片
２００    ソケットコネクタ
２１０    加圧接触子
２１２    加圧接触部
【図２】
2007053066.tif 000003
【図１】
2007053066.tif 000004
【図３】
2007053066.tif 000005
【図４】
2007053066.tif 000006
【図５】
2007053066.tif 000007
【図６】
2007053066.tif 000008
【図７】
2007053066.tif 000009
【図８】
2007053066.tif 000010